(57)【要約】【課題】  ラベルをより適切に取り付けることが可能なラベル付き缶容器を提供すること。【解決手段】  筒状の本体８１、本体８１の一端を覆う蓋部８２、蓋部８２に固定された固定部８６およびこの固定部８６から蓋部８２に沿ってｘ方向に延出する摘み部８７を有するタブ８５、を有する缶容器Ｃと、少なくとも表示部３および係止部１を有するラベルＢ１と、を備えるラベル付き缶容器Ａ１であって、ラベルＢ１の係止部１が、缶容器Ｃの本体８１の軸方向において蓋部８２とタブ８５との間に位置し、かつｘ方向において固定部８６と摘み部８７の先端との間に位置することにより、ラベルＢ１が缶容器Ｃに取り付けられている。【選択図】  図２
2015044617.tif 000002
【特許請求の範囲】
【請求項１】
筒状の本体、前記本体の一端を覆う蓋部、前記蓋部に固定された固定部およびこの固定部から前記蓋部に沿って第一方向に延出する摘み部を有するタブ、を有する缶容器と、
少なくとも表示部および係止部を有するラベルと、を備えるラベル付き缶容器であって、
前記ラベルの前記係止部が、前記缶容器の前記本体の軸方向において前記蓋部と前記タブとの間に位置し、かつ前記第一方向において前記固定部と前記摘み部の先端との間に位置することにより、前記ラベルが前記缶容器に取り付けられていることを特徴とする、ラベル付き缶容器。
【請求項２】
前記缶容器の前記蓋部は、前記軸方向視において前記タブと重なる突起を有しており、
前記係止部は、前記第一方向において前記固定部と前記突起との間に位置している、請求項１に記載のラベル付き缶容器。
【請求項３】
前記表示部が、前記缶容器の前記本体を前記軸方向周り全周において取り囲む筒状とされている、請求項１または２に記載のラベル付き缶容器。
【請求項４】
前記表示部が、前記缶容器の前記蓋部の略全面を覆っている、請求項１ないし３のいずれかに記載のラベル付き缶容器。
【発明の詳細な説明】
【技術分野】
【０００１】
本発明は、たとえば販売促進を目的としたラベルが取り付けられたラベル付き缶容器に関する。
【背景技術】
【０００２】
ジュースやビールに代表される飲料などが充填された缶容器は、店頭で消費者の注目を集めることによって販売量を増加させる販促の方策が種々とられている。このような方策の一つとして、缶容器にラベルが取り付けられたラベル付き缶容器が広く採用されている（たとえば特許文献１参照）。図１７は、従来のラベル付き缶容器の一例を示している。同図に示されたラベル付き缶容器Ｘは、缶容器ＣにラベルＹが取り付けられた構成とされている。缶容器Ｃは、筒状の本体８１と、本体８１の一端を覆う蓋部８２とを有している。蓋部８２には、たとえば充填された飲料を注出すべく開口するためのタブや開口用スコア（ともに図示略）が設けられている。
【０００３】
ラベルＹは、缶容器Ｃの蓋部８２を覆っており、表示部９１および２つの羽根部９２を有している。表示部９１は、略円形であり、蓋部８２を覆っている。表示部９１には、販促を目的とした文字やロゴ、あるいは図形などが印刷される。２つの羽根部９２は、表示部９１の両側方に設けられており、円弧枠状である。各羽根部９２には、係止片９３が形成されている。係止片９３は、羽根部９２の略中央にあり、内側に突出している。係止片９３は、蓋部８２の端縁に係止することにより、ラベルＹを缶容器Ｃに固定する役割を果たす。ラベル付き缶容器Ｘは、店頭に陳列された際に、ラベルＹの表示部９１が注目を集めることにより販促効果を高めることが意図されている。
【０００４】
しかしながら、ラベルＹは、係止片９３と蓋部８２との係合を解除すると、缶容器Ｃから比較的容易に取り外される。このため、店頭において、ラベルＹが取り外され、缶容器Ｃのみが残った状態とされることが懸念される。
【先行技術文献】
【特許文献】
【０００５】
【特許文献１】特開２００５−１０７４６９号公報
【発明の概要】
【発明が解決しようとする課題】
【０００６】
本発明は、上記した事情のもとで考え出されたものであって、店頭陳列時には容易に取り外されることなく、かつ飲料を注出する際には簡易に取り外すことが可能なラベルを備えるラベル付き缶容器を提供することをその課題とする。
【課題を解決するための手段】
【０００７】
本発明によって提供されるラベル付き缶容器は、筒状の本体、前記本体の一端を覆う蓋部、前記蓋部に固定された固定部およびこの固定部から前記蓋部に沿って第一方向に延出する摘み部を有するタブ、を有する缶容器と、少なくとも表示部および係止部を有するラベルと、を備えるラベル付き缶容器であって、前記ラベルの前記係止部が、前記缶容器の前記本体の軸方向において前記蓋部と前記タブとの間に位置し、かつ前記第一方向において前記固定部と前記摘み部の先端との間に位置することにより、前記ラベルが前記缶容器に取り付けられていることを特徴としている。
【０００８】
本発明の好ましい実施の形態においては、前記缶容器の前記蓋部は、前記軸方向視において前記タブと重なる突起を有しており、前記係止部は、前記第一方向において前記固定部と前記突起との間に位置している。
【０００９】
本発明の好ましい実施の形態においては、前記表示部が、前記缶容器の前記本体を前記軸方向周り全周において取り囲む筒状とされている。
【００１０】
本発明の好ましい実施の形態においては、前記表示部が、前記缶容器の前記蓋部の略全面を覆っている。
【発明の効果】
【００１１】
本発明によれば、前記係止部が前記蓋部と前記タブとの間に位置することにより前記係止部と前記タブとが係合状態を形成する。これにより、前記ラベルを前記缶容器に対して固定することができる。また、前記係止部は、前記第一方向において前記タブと前記摘み部の先端との間に位置している。このため、前記係止部を外部から前記第一方向に直接引き出すことが阻止される。しかも、飲料を注出する際には前記タブを起こして開口するため、前記係止部と前記タブとの係合状態が解消され、前記ラベルを容易に取り外すことができる。したがって、前記ラベルを前記缶容器により適切に取り付けることができる。
【００１２】
本発明のその他の特徴および利点は、添付図面を参照して以下に行う詳細な説明によって、より明らかとなろう。
【図面の簡単な説明】
【００１３】
【図１】本発明の第一実施形態に基づくラベル付き缶容器を示す斜視図である。
【図２】図１のラベル付き缶容器を示す平面図である。
【図３】図２のＩＩＩ−ＩＩＩ線に沿う要部断面図および要部拡大断面図である。
【図４】図１のラベル付き缶容器に用いられるラベルを示す平面図である。
【図５】図１の缶容器にラベルを取り付ける工程を示す平面図である。
【図６】図５の取り付け工程を示す要部拡大断面図である。
【図７】本発明の第二実施形態に基づくラベル付き缶容器を示す要部斜視図である。
【図８】図７のラベル付き缶容器を示す平面図である。
【図９】図７の缶容器にラベルを取り付ける工程を示す要部斜視図である。
【図１０】本発明の第三実施形態に基づくラベル付き缶容器を示す平面図である。
【図１１】図１０のＸＩ−ＸＩ線に沿う要部断面図および要部拡大断面図である。
【図１２】本発明の第四実施形態に基づくラベル付き缶容器を示す要部斜視図である。
【図１３】本発明の第五実施形態に基づくラベル付き缶容器を示す平面図である。
【図１４】本発明の第六実施形態に基づくラベル付き缶容器を示す要部斜視図である。
【図１５】図１４のラベル付き缶容器を示す要部斜視図である。
【図１６】本発明の第七実施形態に基づくラベル付き缶容器を示す平面図である。
【図１７】従来のラベル付き缶容器の一例を示す斜視図である。
【発明を実施するための形態】
【００１４】
以下、本発明の好ましい実施の形態につき、図面を参照して具体的に説明する。
【００１５】
図１〜図３は、本発明の第一実施形態に基づくラベル付き缶容器を示している。本実施形態のラベル付き缶容器Ａ１は、缶容器ＣおよびラベルＢ１を備えている。図１は、ラベル付き缶容器Ａ１を示す斜視図であり、図２は、平面図である。図３は、図２のＩＩＩ−ＩＩＩ線に沿うｚｘ平面における要部断面図およびその一部を拡大した要部拡大断面図である。なお、ｘ方向は、本発明における第一方向に相当し、ｙ方向は、本発明における第二方向に相当する。また、ｚ方向は、後述する缶容器Ｃの本体８１の軸方向である。
【００１６】
缶容器Ｃは、典型的にはジュースやビールに代表される飲料などが充填されるものである。缶容器Ｃの充填物は、飲料に限定されず、食品などであってもよい。缶容器Ｃは、本体８１、蓋部８２およびタブ８５を備えている。
【００１７】
本体８１は、筒状であり、充填物を収容する空間を規定する部位である。本実施形態においては、本体８１は、円筒形状とされているが、これに限定されずたとえは多角形筒状であってもよい。本体８１の一端は、蓋部８２によって覆われている。本体８１の他端には、底部が形成されている。
【００１８】
蓋部８２は、全体として円形板状であり、開口用スコア８３および２つの突起８４を有している。開口用スコア８３は、蓋部８２に形成された溝や折り線によって構成されており、たとえば充填物が飲料である場合、充填物を摂取するための飲み口として開口される部位である。
【００１９】
タブ８５は、開口用スコア８３を開口するために用いられるものであり、固定部８６および摘み部８７を有している。固定部８６は、タブ８５が蓋部８２に固定されている部分である。本実施形態においては、固定部８６は、たとえばリベットによる固定方法が採用されており、蓋部８２の略中央に配置されている。摘み部８７は、消費者が指をかけるための部分であり、図２において固定部８６からｘ方向右方に延出している。
【００２０】
２つの突起８４は、蓋部８２の一部がｚ方向上方に突出した部分であり、ｚ方向視においてタブ８５の摘み部８７と重なっている。本実施形態においては、２つの突起８４は、ｙ方向に並んで配置されている。２つの突起８４は、たとえば摘み部８７が蓋部８２に不当に密着してしまい、摘み部８７に指を掛けにくくなることを防止する機能を果たす。
【００２１】
缶容器Ｃを開口する際には、タブ８５の摘み部８７に指の先端を掛け、固定部８６を支点としてタブ８５を起立させる。この起立動作において、タブ８５のうち摘み部８７とは反対側にある部分が開口用スコア８３が形成された部分を押し下げる。開口用スコア８３は、この押し下げによって、一部が切断されるとともに、他の部分が切断されない構成とされている。これにより、開口用スコア８３が形成された部分が本体８１の内方に折られる格好となり、蓋部８２が開口される。なお、本実施形態においては、開口においてタブ８５や蓋部８２の一部は離脱せず缶容器Ｃに残存する構成とされているが、タブ８５とともに開口用スコア８３が形成された部分が缶容器Ｃから離脱する構成であってもよい。また、缶容器Ｃの充填物が食品である場合、蓋部８２の全体が開口される構成であってもよい。この場合、タブ８５の形状や配置、あるいは開口用スコア８３の構成は本実施形態と異なるものとなり、タブ８５とともに蓋部８２のほぼ全体が取り除かれる。
【００２２】
ラベルＢ１は、典型的には、飲料などが充填された缶容器Ｃの販促効果を高めるために設けられるものであり、係止部１、連結部２、表示部３、孔４および先端５を有している。なお、ラベルＢ１は、販促効果を高めるものに限定されず、様々な用途が意図されたものであってもよい。ラベルＢ１の材質は、樹脂材料、紙、金属など特に限定されないが、好ましくは、ポリエチレンテレフタレート（ＰＥＴ）等のポリエステル系樹脂、ポリスチレン（ＰＳ）等のポリスチレン系樹脂またはポリエチレン（ＰＥ）やポリプロピレン（ＰＰ）等のポリオレフィン系樹脂などの樹脂材料が採用される。以降の説明においては、本実施形態のラベルＢ１はこれらの樹脂材料からなる場合を例として説明する。また、ラベルＢ１の厚さは特に限定されないが、通常、５０〜２００μｍ、好ましくは７０〜１５０μｍである。
【００２３】
係止部１は、主にタブ８５に係合することにより、ラベルＢ１を缶容器Ｃに固定するための部分である。係止部１は、一対の端縁１１，１２を有している。一対の端縁１１，１２は、図３に示すようにｚ方向において、蓋部８２とタブ８５との間に位置している。また、一対の端縁１１，１２は、図２および図３に示すようにｘ方向において固定部８６と摘み部８７の先端（図中右端）との間に位置している。またさらに、本実施形態においては、一対の端縁１１，１２は、ｘ方向においてタブ８５と２つの突起８４との間に位置している。
【００２４】
ｘ方向において、端縁１１は相対的に固定部８６側にあり、端縁１２は相対的に摘み部８７側にある。端縁１１は、孔４の周縁の一部によって構成されている。孔４は、ｚ方向視円形であり、固定部８６を囲んでいる。また、孔４の直径は、すくなくともタブ８５の摘み部８７のｙ方向寸法よりも大とされている。円形の孔４の周縁の一部によって構成されていることにより、端縁１１は、円弧形状とされている。端縁１２は、ｙ方向に延びる直線状とされている。ただし、これらの端縁１１，１２の形状は一例であり、その形状は特に限定されない。
【００２５】
本実施形態の係止部１は、ｘ方向において固定部８６と摘み部８７の先端（右端）との間、さらには固定部８６と２つの突起８４との間に位置しており、ｙ方向においてタブ８５の両側方から突出している。
【００２６】
先端５は、ラベルＢ１のうちｘ方向において固定部８６に対して摘み部８７側に位置する端縁である。本実施形態においては、先端５は、ｘ方向において摘み部８７の先端よりもｘ方向左方側（固定部８６側）に位置している。言い換えると、ラベルＢ１は、その全てが摘み部８７の先端よりもｘ方向左方にあり、摘み部８７の先端よりもｘ方向右方に突出する部分を有していない。
【００２７】
連結部２は、係止部１や孔４が形成された部分と表示部３とを連結している。本実施形態においては、孔４は、ｙ方向を幅方向とする略帯状であり、蓋部８２から本体８１にわたってそれぞれの一部ずつを覆うように設けられている。
【００２８】
表示部３は、たとえばラベルＢ１が販促効果を意図して設けられる場合、缶容器Ｃの充填物として飲料などのロゴやキャッチコピーなどが印刷される。本実施形態においては、表示部３は、長方形とされているが、これは表示部３の形状の一例であり、円形状、楕円形状、多角形状、あるいはロゴやイメージマスコットを型どった形状など、様々な形状を採用しうる。
【００２９】
図４は、ラベルＢ１単体を示す平面図である。なお、本図においては、図１〜図３におけるｘ，ｙ方向を説明の便宜上用いている。缶容器Ｃに取り付けられる前の状態においては、ラベルＢ１は、図示されたように平たい形状であり、たとえば上述した樹脂材料からなるシートに印刷を施した後にこれを切断することにより、複数個が一括して作成される。
【００３０】
図５は、ラベルＢ１を缶容器Ｃに取り付けることによりラベル付き缶容器Ａ１を製造する工程を示している。同図に示すように、ラベルＢ１の孔４が摘み部８７の先端（右端）を囲むようにラベルＢ１を位置させる。次いで、ラベルＢ１の下側から上側に向かって、摘み部８７を孔４に通す。そして、ラベルＢ１全体を図中ｘ方向左方へとスライドさせる。
【００３１】
図６は、図５に示す状態を図２のＩＩＩ−ＩＩＩに沿うｚｘ平面における断面図によって示している。同図に示すように、突起８４が形成されている部分は、蓋部８２とタブ８５との隙間が相対的に小さい。この隙間を係止部１が通過する際、ラベルＢ１はスライドを阻止する方向への反力を受ける。この反力に抗してラベルＢ１をさらにスライドさせると、ラベルＢ１は図１〜図３に示す位置に移動する。これにより、ラベルＢ１の缶容器Ｃへの取り付けが完了し、ラベル付き缶容器Ａ１が得られる。なお、表示部３を本体８１に沿って起立した姿勢とするには、たとえばラベルＢ１を取り付けた後に連結部２に折り曲げ加工を施す。また、この折り曲げ加工を容易とするために、連結部２にあらかじめ溝やミシン目線等を形成しておいてもよい。
【００３２】
次に、ラベル付き缶容器Ａ１の作用について説明する。
【００３３】
本実施形態によれば、係止部１が蓋部８２とタブ８５との間に位置することにより係止部１とタブ８５とが係合状態を形成する。これにより、ラベルＢ１を缶容器Ｃに対して固定することができる。また、係止部１の一対の端縁１１，１２は、ｘ方向においていずれも固定部８６と摘み部８７の先端との間に位置している。このため、一対の端縁１１，１２をｘ方向両端に有する係止部１を外部からｘ方向に直接引き出すことが阻止される。しかも、飲料を注出する際にはタブ８５を起こして開口するため、係止部１とタブ８５との係合状態が解消され、ラベルＢ１を容易に取り外すことができる。したがって、ラベルＢ１を缶容器Ｃにより適切に取り付けることができる。
【００３４】
また、係止部１は、ｙ方向においてタブ８５の両側方から突出している。このような形状により、係止部１はタブ８５のｙ方向全幅と係合状態を形成する。これにより、ラベルＢ１の缶容器Ｃに対する固定をより確実なものとすることができる。
【００３５】
２つの突起８４と固定部８６との間に係止部１の一対の端縁１１，１２が位置していることにより、仮に係止部１がｘ方向右方に引き出されようとしても、突起８４が係止部１の離脱を阻止することが期待できる。したがって、ラベルＢ１が意図せず、あるいは不当に取り外されてしまうことを防止するのに適している。また、ラベルＢ１を缶容器Ｃに取り付ける際には、係止部１が突起８４を超えるときに相応の反力が発生する。ラベルＢ１缶容器Ｃに取り付ける作業者は、この反力の発生および消滅を感じることにより、係止部１が突起８４を超えて所定の位置まで到達したことを認識することが可能である。したがって、ラベルＢ１の取付作業をより確実に行うことができる。なお、発明者らの試験によれば、缶容器Ｃが一般的な飲料用である場合、ラベルＢ１の厚さが７０〜１５０μｍの場合に、ラベルＢ１を無理なく取り付け可能であるとともに、上述した反力を明瞭に生じさせ、かつ係止部１がタブ８５から外れてしまうことを防止するのに好適であった。
【００３６】
孔４によって固定部８６を囲む構成により、ラベルＢ１は、環状部分がタブ８５に係合した状態とされる。これにより、たとえば表示部３が強く引っ張られても、ラベルＢ１とタブ８５との係合状態が容易に解除されるおそれが少ない。
【００３７】
図７〜図１３は、本発明の他の実施形態を示している。なお、これらの図において、上記実施形態と同一または類似の要素には、上記実施形態と同一の符号を付している。
【００３８】
図７および図８は、本発明の第二実施形態に基づくラベル付き缶容器を示している。本実施形態のラベル付き缶容器Ａ２は、缶容器ＣにラベルＢ２が取り付けられて構成されている。
【００３９】
ラベルＢ２においては、表示部３が缶容器Ｃの本体８１を軸方向（ｚ方向）周りに全周において取り囲む軸方向寸法が比較的短い筒状とされている。そして、表示部３の上端の一部に連結部２が繋がっている。また、上述したラベルＢ１に形成されていた孔４は形成されておらず、図８に示すようにラベルＢ２は、その一部がフック形状とされている。このフック形状の一部が係止部１とされており、タブ８５と係合状態を形成している。
【００４０】
図９は、ラベルＢ２を缶容器Ｃに取り付ける工程を示している。ラベルＢ２は、たとえば図４に示したラベルＢ１と同様にシート材料を切断した後に、ｙ方向に長く延びる帯状部分の両端同士を接合することにより、筒状の表示部３が形成される。筒状の表示部３に缶容器Ｃを通した後に、図９にしめすように、係止部１のフック形状部分を摘み部８７の先端から迂回させ、蓋部８２とタブ８５との間に引っ掛ける。この際、図６を参照した説明と同様に、係止部１が２つの突起８４を超える際に、上述した反力が生じる。
【００４１】
このような実施形態によっても、ラベルＢ２を缶容器Ｃに適切に取り付けることができる。缶容器Ｃの本体８１を全周において取り囲む筒状の表示部３は、店頭においてあらゆる方向から視認可能であり、消費者の注目を集め、販促効果を高めることができる。また、図１７に示した構成では、販促の一手段として、ラベルＹの裏面に賞品応募用の数字や記号が印刷される場合がある。ラベルＹが取り外されなくとも、片方の係止片９３の係合が解除されると、賞品応募用の数字や記号を容易に読み取ることができる。このようなことでは、ラベル付き缶容器Ｘを購入するインセンティブが損なわれ、販促効果が減退してしまう。これに対し、ラベル付き缶容器Ａ２においては、表示部３が本体８１を取り囲む筒状であるため、裏返したり取り外したりすることが困難である。したがって、表示部３の裏面に賞品応募用の数字や記号を印刷しておくと、これらが不当に読み取られるおそれが少なく、販促効果を維持することができる。
【００４２】
ラベルＢ１がフック形状とされていることにより、図９に示すように係止部１を迂回させるようにしてラベルＢ２を缶容器Ｃに取り付けることができる。この際、筒状の表示部３をｚ方向上方にスライドさせるなどの必要がなく、連結部２にスライドを可能とさせるほどの余裕をもたせずに済む。したがって、ラベルＢ２を缶容器Ｃに適切に取り付けつつ、表示部３を蓋部８２の近傍に配置することができる。
【００４３】
図１０および図１１は、本発明の第三実施形態に基づくラベル付き缶容器を示している。本実施形態のラベル付き缶容器Ａ３は、缶容器ＣにラベルＢ３が取り付けられて構成されている。
【００４４】
ラベルＢ３は、２つの係止部１、連結部２、表示部３、孔４および２つの小孔４１を有している。表示部３は、ラベルＢ１における表示部３と同様であるが、ラベルＢ２における表示部３の構成としてもよい。また、本実施形態の孔４は、ｚ方向視略矩形状とされているが、ラベルＢ１における孔４と同様に円形状であってもよい。
【００４５】
２つの小孔４１は、円形であり、その直径が缶容器Ｃの８４の直径よりも大とされている。また、ｚ方向視において各小孔４１は、突起８４を取り囲んでいる。すなわち、図１１に示すように、各小孔４１に各突起８４が嵌り込んだ状態となっている。
【００４６】
本実施形態においては、小孔４１の周縁のうち図中ｘ方向左方側部分が、端縁１２を構成している。また、孔４の周縁のうち、端縁１２とｘ方向において重なる部分が端縁１１を構成している。そして、ラベルＢ３のうちこれらの端縁１１，１２に挟まれた部分が係止部１となっている。ラベルＢ３には２つの小孔４１が形成されていることから、図１０に示すように、２つの係止部１が形成されている。
【００４７】
また、本実施形態においては、先端５が摘み部８７の先端よりもｘ方向右方に位置しており、言い換えるとラベルＢ３の一部が摘み部８７の先端からｘ方向右方に突出した構成とされている。
【００４８】
このような実施形態によっても、ラベルＢ３を缶容器Ｃに適切に取り付けることができる。また、小孔４１に突起８４が嵌り込む構成とすることにより、ラベルＢ３が缶容器Ｃから外れてしまうことを抑制することができる。本実施形態から理解されるように、本発明における係止部１は、ラベルＢ１およびラベルＢ２における係止部１のようにタブ８５のｙ方向両側方に突出するものに限定されず、本実施形態における係止部１のようにタブ８５内にとどまる構成であってもよい。
【００４９】
図１２は、本発明の第四実施形態に基づくラベル付き缶容器を示している。本実施形態のラベル付き缶容器Ａ４は、缶容器ＣにラベルＢ４が取り付けられて構成されている。
【００５０】
本実施形態のラベルＢ４は、表示部３が円形状であること以外は、上述したラベルＢ１と同様の構成とされている。なお、係止部１の構成をラベルＢ２およびラベルＢ３と同様の構成としてもよい。
【００５１】
表示部３は、直径が缶容器Ｃの蓋部８２の直径と同等か若干小とされており、蓋部８２の略全面を覆っている。係止部１をタブ８５に係合させることにより、ラベルＢ４を缶容器Ｃに取り付けた後に、連結部２においてラベルＢ４を折り返すことにより、表示部３を蓋部８２の直上に位置させる。なお、先端５を摘み部８７の先端から突出させ、表示部３にこの突出部分が挿入される切れ目を設けておいてもよい。
【００５２】
このような実施形態によっても、ラベルＢ４を缶容器Ｃに適切に取り付けることができる。また、蓋部８２の略全面を覆うように表示部３を設けることにより、陳列状態において、隣接して並べられた複数のラベル付き缶容器Ａ４の上面に、販促のためのロゴやキャッチコピーを現出させることができる。
【００５３】
図１３は、本発明の第五実施形態に基づくラベル付き缶容器を示している。本実施形態のラベル付き缶容器Ａ５は、缶容器ＣにラベルＢ５が取り付けられて構成されている。
【００５４】
ラベルＢ５は、全体として円形状であり、その大部分が表示部３とされている。また、表示部３は、蓋部８２の略全面を覆っている。そして、ラベルＢ５の中央付近に孔４と補助孔４２がｘ方向に並んで形成されている。孔４の周縁の一部によって端縁１１が形成されており、補助孔４２の周縁の一部によって端縁１２が構成されている。ラベルＢ５を缶容器Ｃに取り付ける際には、孔４にタブ８５を通した後に、ラベルＢ５をｘ方向左方にスライドさせる。
【００５５】
このような実施形態によっても、ラベルＢ５を缶容器Ｃに適切に取り付けることができる。また、ラベルＢ５全体を蓋部８２に沿うように配置することが可能である。これにより、ラベル付き缶容器Ａ５は、ラベルＢ５が取り付けられているものの、缶容器Ｃ単体と同様のすっきりした外観を呈するという利点がある。また、表示部３が裏返したり取り外したりすることが困難であるものであるため、表示部３の裏面に賞品応募用の数字や記号を印刷しておくと、これらが不当に読み取られるおそれが少なく、販促効果を維持することができる。
【００５６】
図１４および図１５は、本発明の第６実施形態に基づくラベル付き缶容器を示している。本実施形態のラベル付き缶容器Ａ６は、２つの表示部３を有するラベルＢ６を備えている。図１４に示すように、一方の表示部３は円形状であり、他方の表示部３は取り付け前の状態において帯状である。係止部１と一方の表示部３とは連結部２によって連結されており、２つの表示部３どうしは、もう一つの連結部２によって連結されている。図１４の矢印に示す方向にラベルＢ６を折りたたみ、次いで帯状の表示部３の両端どうしを接合することにより筒状とする。これにより、図１５に示す取り付け完了状態となる。この状態においては、円形の表示部３が缶容器Ｃの蓋部８２の略全面を覆っており、筒状の表示部３がｚ方向（軸方向）周りに本体８１の全周を取り囲んでいる。このような実施形態によれば、より多くの面積を販促用の印刷領域として用いることができる。また、筒状の表示部３が設けられていることにより、円形の表示部３が裏返されることを阻止しうる。これにより、円形の表示部３に商品応募用の数字や記号を印刷した場合に、これらを不正に視認されることを抑制することができる。
【００５７】
図１６は、本発明の第七実施形態に基づくラベル付き缶容器を示している。本実施形態のラベル付き缶容器Ａ７は、図１３のラベルＢ５と同様の円形の表示部３に加えて、連結部２によって連結された筒状の表示部３を有するラベルＢ７を備えている。筒状の表示部３は、ｚ方向（軸方向）周りに本体８１の全周を取り囲んでいる。このような実施形態によっても、より多くの面積を販促用の印刷領域として用いることが可能であり、また、円形の表示部３が裏返されることを阻止しうる。
【００５８】
本発明に係るラベル付き缶容器は、上述した実施形態に限定されるものではない。本発明に係るラベル付き缶容器の各部の具体的な構成は、種々に設計変更自在である。
【００５９】
ラベル付き缶容器Ａ１、Ａ２、Ａ４〜Ａ７においては、缶容器Ｃの蓋部８２に突起８４が設けられていることが、係止部１の係合の強化および取り付けの確実化に好ましいが、本発明はこれに限定されず、突起８４を有さない缶容器Ｃを採用してもよい。
【符号の説明】
【００６０】
Ａ１〜Ａ７    ラベル付き缶容器
Ｂ１〜Ｂ７    ラベル
Ｃ      缶容器
１      係止部
１１，１２    端縁
２      連結部
３      表示部
４      孔
４１    小孔
４２    補助孔
５      先端
８１    本体
８２    蓋部
８３    開口用スコア
８４    突起
８５    タブ
８６    固定部
８７    摘み部
【図１】
2015044617.tif 000003
【図２】
2015044617.tif 000004
【図３】
2015044617.tif 000005
【図４】
2015044617.tif 000006
【図５】
2015044617.tif 000007
【図６】
2015044617.tif 000008
【図７】
2015044617.tif 000009
【図８】
2015044617.tif 000010
【図９】
2015044617.tif 000011
【図１０】
2015044617.tif 000012
【図１１】
2015044617.tif 000013
【図１２】
2015044617.tif 000014
【図１３】
2015044617.tif 000015
【図１４】
2015044617.tif 000016
【図１５】
2015044617.tif 000017
【図１６】
2015044617.tif 000018
【図１７】
2015044617.tif 000019